(57)【要約】【課題】原稿配置部に原稿シートを継ぎ足す場合に、読取画像の画像品質が低下することを抑制すること。【解決手段】複合機１は、複数枚の原稿シートＭが配置可能な供給トレイ２４等を有し、画像読取部３に、ＡＤＦ４により搬送される原稿シートＭ上の画像を読み取る原稿読取動作を実行させ、供給トレイ２４に原稿シートＭを継ぎ足す継ぎ足し条件を満たすと判断した場合、当該原稿読取動作の完了後、前記搬送部に前記搬送動作を停止させ、再開条件を満たす判断した場合、ＡＤＦ４に搬送動作を再開させる。【選択図】図４
2014093556.tif 000002
【特許請求の範囲】
【請求項１】
複数枚の原稿シートが配置可能な原稿配置部と、
搬送経路を有し、前記原稿配置部上の原稿シートを１枚ずつ前記搬送経路に沿って搬送する搬送動作を実行する搬送部と、
前記搬送経路上に読取領域を有し、当該読取領域内の画像を読み取る画像読取部と、
制御部と、を備え、
前記制御部は、
前記画像読取部に、前記搬送部により搬送される原稿シート上の画像を読み取る原稿読取動作を実行させる画像読取処理と、
前記原稿配置部に原稿シートを継ぎ足す継ぎ足し条件を満たすかどうかを判断する条件判断処理と、
前記原稿読取動作の実行中に前記継ぎ足し条件を満たすと判断した場合、当該原稿読取動作の完了後、前記搬送部に前記搬送動作を停止させる搬送停止処理と、
前記搬送動作の停止後、再開条件を満たすかどうかを判断し、前記再開条件を満たすと判断した場合、前記搬送部に前記搬送動作を再開させる搬送再開処理と、を実行する構成を有する画像読取装置。
【請求項２】
請求項１に記載の画像読取装置であって、
１枚の原稿シートの片面を１頁とする設定頁数単位で、前記原稿読取動作で読み取られた読取画像に対する機能を実行する機能実行部を備え、
前記制御部は、
前記設定頁数を決定する頁数決定処理を実行する構成を有し、
前記搬送停止処理では、前記設定頁数単位の原稿読取動作の実行中に前記継ぎ足し条件を満たすと判断した場合、当該設定頁単位の原稿読取動作の完了後、前記搬送部に前記搬送動作を停止させる、画像読取装置。
【請求項３】
請求項１または２に記載の画像読取装置であって、
前記原稿読取動作で読み取られた読取画像に対して互いに異なる機能を実行する複数の機能実行部であって、前記原稿読取動作中に当該読取画像を外部機器にファクシミリ送信するリアルタイムファクシミリ機能を実行するファクシミリ部が含まれる、前記複数の機能実行部を備え、
前記制御部は、
前記継ぎ足し条件を満たすと判断した場合でも、前記ファクシミリ部が前記リアルタイムファクシミリ機能の実行中であれば、前記搬送部に前記搬送動作を停止させない、画像読取装置。
【請求項４】
請求項１から３のいずれか一項に記載の画像読取装置であって、
前記制御部は、
基準枚数を決定する基準枚数決定処理と、
前記原稿読取動作で読み取った原稿シートの枚数をカウントするカウント処理と、を実行する構成を有し、
前記継ぎ足し条件は、前記原稿シートの枚数のカウント値が前記基準枚数に達したことである、画像読取装置。
【請求項５】
請求項４に記載の画像読取装置であって、
前記原稿配置部に、予め原稿シートを配置する規定枚数が定められており、
原稿シートの読取予定枚数を受け付ける受付部を備え、
前記制御部は、
前記基準枚数決定処理では、前記読取予定枚数から前記規定枚数を差し引いた枚数を前記基準枚数として決定する、画像読取装置。
【請求項６】
請求項５に記載の画像読取装置であって、
表示部を備え、
前記制御部は、
前記読取予定枚数が前記規定枚数よりも多いかを判断し、多いと判断した場合、前記表示部に、ユーザに前記規定枚数の原稿シートを前記原稿配置部に配置させるための情報を表示させる表示処理を実行する構成を有する、画像読取装置。
【請求項７】
原稿配置部上の原稿シートを１枚ずつ、搬送経路に沿って搬送する搬送動作を実行する搬送部と、前記搬送経路上の読取領域内の画像を読み取る画像読取部と、を備える画像読取装置に、
前記画像読取部に、前記搬送部により搬送される原稿シート上の画像を読み取る原稿読取動作を実行させる画像読取処理と、
前記原稿配置部に原稿シートを継ぎ足す継ぎ足し条件を満たすかどうかを判断する条件判断処理と、
前記原稿読取動作の実行中に前記継ぎ足し条件を満たすと判断した場合、当該原稿読取動作の完了後、前記搬送部に前記搬送動作を停止させる搬送停止処理と、
前記搬送動作の停止後、再開条件を満たすかどうかを判断し、前記再開条件を満たすと判断した場合、前記搬送部に前記搬送動作を再開させる搬送再開処理と、を実行させる読取制御プログラム。
【発明の詳細な説明】
【技術分野】
【０００１】
原稿配置部に配置された原稿シートを搬送経路上の読取位置に搬送しつつ、当該読取位置で原稿シート上の画像を読み取る原稿搬送読み取りを実行可能な画像読取装置において、当該原稿搬送読み取りを開始した後に、原稿配置部に原稿シートを継ぎ足すための技術に関する。
【背景技術】
【０００２】
従来から、例えば原稿トレイに配置された原稿シートを搬送経路上の読取位置に搬送しつつ、当該読取位置で原稿シート上の画像を読み取る原稿搬送読み取りを実行可能な画像読取装置がある。このような画像読取装置では、上記原稿搬送読み取りを開始した後に、ユーザが原稿トレイに原稿シートを新たに継ぎ足す場合がある（特許文献１参照）。その一例としては、例えば、ユーザが、予め原稿トレイに配置されていた原稿シート上の画像の読取データと、新たに継ぎ足された原稿シート上の画像の読取データとを１つのファイルにまとめたい場合が挙げられる。
【先行技術文献】
【特許文献】
【０００３】
【特許文献１】特開２００６−２４６２５７号公報
【発明の概要】
【発明が解決しようとする課題】
【０００４】
ところで、原稿トレイに原稿シートを継ぎ足す際、原稿シートの搬送を一時停止することが好ましい。しかし、原稿シートの読取途中に搬送が停止されると、読取画像の画像品質が低下するおそれがある。例えば、原稿シートの搬送の駆動源であるモータ等は、停止指令を受けると、即座に停止するわけでなく、減速した後に停止する。即ち、原稿シートの搬送速度が変化する。これに対して、画像読取装置が原稿シートを順次読み取る主走査ラインの読取タイミング間隔は一定である。そうすると、原稿シート上の画像に対して、読取画像が間延びしたり、濃度差が生じたりするなど画像品質が低下するおそれがある。
【０００５】
本明細書では、原稿配置部に原稿シートを継ぎ足す場合に、読取画像の画像品質が低下することを抑制することが可能な技術を開示する。
【課題を解決するための手段】
【０００６】
本明細書によって開示される画像読取装置は、複数枚の原稿シートが配置可能な原稿配置部と、搬送経路を有し、前記原稿配置部上の原稿シートを１枚ずつ前記搬送経路に沿って搬送する搬送動作を実行する搬送部と、前記搬送経路上に読取領域を有し、当該読取領域内の画像を読み取る画像読取部と、制御部と、を備え、前記制御部は、前記画像読取部に、前記搬送部により搬送される原稿シート上の画像を読み取る原稿読取動作を実行させる画像読取処理と、前記原稿配置部に原稿シートを継ぎ足す継ぎ足し条件を満たすかどうかを判断する条件判断処理と、前記原稿読取動作の実行中に前記継ぎ足し条件を満たすと判断した場合、当該原稿読取動作の完了後、前記搬送部に前記搬送動作を停止させる搬送停止処理と、前記搬送動作の停止後、再開条件を満たすかどうかを判断し、前記再開条件を満たすと判断した場合、前記搬送部に前記搬送動作を再開させる搬送再開処理と、を実行する構成を有する。
【０００７】
この画像読取装置は、原稿読取動作の実行中に原稿シートを継ぎ足す継ぎ足し条件を満たすと判断した場合、当該原稿読取動作の完了後、搬送部に搬送動作を停止させる。その後、画像読取装置は、再開条件を満たすと判断した場合、搬送部に搬送動作を再開させる。これにより、原稿配置部に原稿シートを継ぎ足す場合に、原稿読取動作の実行中でも搬送動作を停止する構成に比べて、読取画像の画像品質が低下することを抑制することができる。
【０００８】
上記画像読取装置では、１枚の原稿シートの片面を１頁とする設定頁数単位で、前記原稿読取動作で読み取られた読取画像に対する機能を実行する機能実行部を備え、前記制御部は、前記設定頁数を決定する頁数決定処理を実行する構成を有し、前記搬送停止処理では、前記設定頁数単位の原稿読取動作の実行中に前記継ぎ足し条件を満たすと判断した場合、当該設定頁単位の原稿読取動作の完了後、前記搬送部に前記搬送動作を停止させてもよい。
【０００９】
この画像読取装置は、設定頁数単位の原稿読取動作の実行中に継ぎ足し条件を満たすと判断した場合、当該設定頁単位の原稿読取動作の完了後、搬送部に搬送動作を停止させる。これにより、設定頁数単位の原稿読取動作の途中で搬送動作が停止される構成に比べて、設定頁数分の読取画像が揃わないために機能実行部が機能を実行できない事態が発生することを抑制することができる。
【００１０】
上記画像読取装置では、前記原稿読取動作で読み取られた読取画像に対して互いに異なる機能を実行する複数の機能実行部であって、前記原稿読取動作中に当該読取画像を外部機器にファクシミリ送信するリアルタイムファクシミリ機能を実行するファクシミリ部が含まれる、前記複数の機能実行部を備え、前記制御部は、前記継ぎ足し条件を満たすと判断した場合でも、前記ファクシミリ部が前記リアルタイムファクシミリ機能の実行中であれば、前記搬送部に前記搬送動作を停止させない構成でもよい。
【００１１】
この画像読取装置は、継ぎ足し条件を満たすと判断した場合でも、ファクシミリ部がリアルタイムファクシミリ機能の実行中であれば、搬送動作を停止しない。これにより、ファクシミリ部がリアルタイムファクシミリ機能の実行中でも搬送動作を停止させる構成に比べて、ファクシミリ通信回線が接続されたまま搬送動作が停止した状態になることを抑制することができる。
【００１２】
上記画像読取装置では、前記制御部は、基準枚数を決定する基準枚数決定処理と、前記原稿読取動作で読み取った原稿シートの枚数をカウントするカウント処理と、を実行する構成を有し、前記継ぎ足し条件は、前記原稿シートの枚数のカウント値が前記基準枚数に達したことでもよい。
【００１３】
この画像読取装置は、原稿読取動作で読み取った原稿シートの枚数のカウント値が基準枚数に達した場合に、継ぎ足し条件を満たすと判断する。これにより、基準枚数に応じて原稿シートの継ぎ足しタイミングを定めることができる。
【００１４】
上記画像読取装置では、前記原稿配置部に、予め原稿シートを配置する規定枚数が定められており、原稿シートの読取予定枚数を受け付ける受付部を備え、前記制御部は、前記基準枚数決定処理では、前記読取予定枚数から前記規定枚数を差し引いた枚数を前記基準枚数として決定してもよい。
【００１５】
この画像読取装置は、原稿シートの読取予定枚数から原稿配置部の規定枚数を差し引いた枚数を基準枚数として決定する。これにより、原稿シートの継ぎ足し後、読取予定枚数に達する前に、原稿配置部上の原稿シートが無くなって搬送動作が停止されることを抑制することができる。
【００１６】
上記画像読取装置では、表示部を備え、前記制御部は、前記読取予定枚数が前記規定枚数よりも多いかを判断し、多いと判断した場合、前記表示部に、ユーザに前記規定枚数の原稿シートを前記原稿配置部に配置させるための情報を表示させる表示処理を実行する構成を有してもよい。
【００１７】
この画像読取装置は、読取予定枚数が規定枚数よりも多いと判断した場合、表示部に、ユーザに規定枚数の原稿シートを原稿配置部に配置させるための情報を表示させる。これにより、ユーザは、表示部の内容により、原稿シートを適切な枚数だけ原稿配置部に配置することができる。
【００１８】
なお、この発明は、画像読取装置、読取制御方法、これらの方法または装置の機能を実現するためのコンピュータプログラム、そのコンピュータプログラムを記録した記録媒体等の種々の態様で実現することができる。
【発明の効果】
【００１９】
本明細書によって開示される発明によれば、原稿配置部に原稿シートを継ぎ足す場合に、読取画像の画像品質が低下することを抑制することが可能である。
【図面の簡単な説明】
【００２０】
【図１】実施形態１に係る複合機の電気的構成を示すブロック図
【図２】複合機の外観構成を示す斜視図
【図３】カバー部および装置本体の一部分の内部構成を示す断面図
【図４】読取制御処理を示すフローチャート
【図５】停止判定処理を示すフローチャート
【図６】機能、レイアウトおよび設定頁数の対応テーブルの説明図
【図７】各タイミングでの複合機１の動作を示す説明図
【図８】実施形態２の読取制御処理を示すフローチャート
【発明を実施するための形態】
【００２１】
＜実施形態１＞
実施形態１について図１〜図７を参照しつつ説明する。以下の説明では、図２，３の紙面右下側を複合機１の前側（Ｆ）とし、紙面左下側を複合機１の左側（Ｌ）とし、紙面上側を複合機１の上側（Ｕ）とする。本実施形態の複合機１は、画像読取装置の一例であり、原稿シートＭから読み取った読取画像に対する複数の機能を実行可能である。以下、複数の機能として、コピー機能、ＰＣスキャン機能、ファックスリアルタイム送信機能、ファックスメモリ送信機能を例に挙げて説明する。
【００２２】
（複合機の電気的構成）
図１に示すように、複合機１は、制御部２、画像読取部３、原稿自動搬送装置（Ａｕｔｏ  Ｄｏｃｕｍｅｎｔ  Ｆｅｅｄｅｒ  以下、ＡＤＦ）４、操作部５、表示部６、印刷部７、フロントセンサ８、リアセンサ９、ファクシミリ通信部１５、ネットワーク通信部１６等を備える。印刷部７、ファクシミリ通信部１５およびネットワーク通信部１６は、機能実行部の一例であり、これらは、後述するように、画像読取部３が読み取った読取画像に対して、設定頁数（１または複数）単位で各機能を実行することが可能である。
【００２３】
制御部２は、中央処理装置（以下、ＣＰＵ）１１、ＲＯＭ１２、ＲＡＭ１３および画像処理部１４を有する。ＲＯＭ１２には、後述する読取制御処理を実行するためのプログラム（読取制御プログラムの一例）や、この複合機１の各種の動作を実行するためのプログラムが記憶されている。ＣＰＵ１１は、ＲＯＭ１２から読み出したプログラムに従って、複合機１の各部を制御する。なお、上記各種のプログラムが記憶される媒体は、ＲＯＭ１２やＲＡＭ１３以外に、ＣＤ−ＲＯＭ、ハードディスク装置、フラッシュメモリ（登録商標）などの不揮発性メモリでもよい。
【００２４】
画像読取部３で読み取られた読取画像に応じた画素列の読取データは、図示しないＡＤ変換部によりＡＤ変換されて、ＲＡＭ１３に記憶される。画像処理部１４は、画像処理専用のハード回路であり、ＡＤ変換された読取データに対し、シェーディング補正やガンマ補正等の処理を実行する。
【００２５】
操作部５は、受付部の一例であり、複数のボタンを有し、上述した各機能の指定など、ユーザにより各種の入力操作が可能である。表示部６は、液晶ディスプレイやランプ等を有し、各種の設定画面や装置の動作状態等を表示することが可能である。印刷部７は、例えばコピー機能の実行時には、例えば電子写真方式やインクジェット方式により、上記読取データなどの画像データに基づく画像を、図示しない未印刷のシートに印刷する。
【００２６】
ファクシミリ通信部１５は、ファクシミリ部の一例であり、図示しない外部のファクシミリ装置との間でファクシミリ通信を行うための通信装置であり、画像読取部３により取得された読取データを、上記ファクシミリ装置にファクシミリ送信することが可能である。制御部２は、ファックスリアルタイム送信機能の実行時には、画像読取部３による原稿読取動作中に、換言すれば原稿読取動作に並行して、当該原稿読取動作で読み取られた読取データをファクシミリ通信部１５によりファクシミリ装置に送信する。また、制御部２は、ファックスメモリ送信機能の実行時には、原稿読取動作で読み取られた読取データを順次、例えばＲＡＭ１３に記憶しておき、読取対象の全ての原稿シートＭの原稿読取動作が完了した後、ＲＡＭ１３に記憶された読取データをまとめてファクシミリ通信部１５によりファクシミリ装置に送信する。
【００２７】
ネットワーク通信部１６には、有線通信または無線通信により、ネットワーク通信回線を介して、外部の通信装置との間でデータ通信を行うことが可能である。制御部２は、ＰＣスキャン機能の実行時には、原稿読取動作で読み取られた読取データを、ネットワーク通信部１６により上記通信装置に送信する。なお、画像読取部３、ＡＤＦ４、フロントセンサ８、リアセンサ９の構成については次述する。
【００２８】
（複合機の機械的構成）
図２に示すように、複合機１は、カバー部１Ａおよび装置本体１Ｂを備える。装置本体１Ｂの上面には、ＡＤＦ用ガラス２１、および、ＦＢ（フラットベッド）用ガラス２２が設けられている。また、装置本体１Ｂの上面の後端側には図示しない支持部材が設けられており、この支持部材に、カバー部１Ａの後端側が、左右方向に沿った回転軸を中心に回動可能に連結されている。これにより、カバー部１Ａは、装置本体１Ｂの上面を開放させた開姿勢（図２参照）と、装置本体１Ｂの上面を覆う閉姿勢（図３参照）とに変位可能である。
【００２９】
上述したＡＤＦ４、フロントセンサ８、リアセンサ９は、カバー部１Ａ内に設けられ、制御部２、画像読取部３、操作部５、表示部６、印刷部７、ファクシミリ通信部１５およびネットワーク通信部１６は、装置本体１Ｂ内に設けられている。
【００３０】
具体的には、図３に示すように、カバー部１Ａは、供給トレイ２４、フロントセンサ８、リアセンサ９、排出トレイ２５、ＡＤＦ４、および、ＡＤＦ用押さえ部材３０等を備える。供給トレイ２４は、原稿配置部の一例であり、ここには、画像読取前の原稿シートＭを複数枚配置可能である。原稿シートＭは、紙製に限らず、プラスチック製などでもよい。
【００３１】
フロントセンサ８は、供給トレイ２４の先端側（図３において左端側）の検知位置Ｘ０で、供給トレイ２４上の原稿シートＭの有無を検知する原稿有無センサであり、その検知結果を上記制御部２に送信する。排出トレイ２５は、供給トレイ２４の下方に設けられ、画像読取後の原稿シートＭが排出される。カバー部１Ａ内には、原稿シートＭを、供給トレイ２４からＵ字状に折り返して排出トレイ２５に搬送するための搬送経路２６が形成されている。なお、搬送経路２６の最下流の位置を、排出位置Ｘ３という。
【００３２】
ＡＤＦ４は、搬送部の一例であり、供給トレイ２４上の複数枚の原稿シートＭを１枚ずつ分離し、搬送経路２６に沿って搬送する搬送動作を実行し、排出トレイ２５に順次排出する。具体的には、ＡＤＦ４は、供給ローラ４Ａ、分離パッド４Ｂ、複数の搬送ローラ４Ｃ、および、複数の従動ローラ４Ｄ等を有する。
【００３３】
供給ローラ４Ａおよび搬送ローラ４Ｃは、図示しない駆動モータによって回転駆動される。これにより、供給ローラ４Ａは、供給トレイ２４に積載される複数枚の原稿シートＭを搬送経路２６側へと搬送し、供給ローラ４Ａと分離パッド４Ｂとは、その複数枚の原稿シートＭを１枚ずつ分離して搬送経路２６内に送り出す。搬送ローラ４Ｃは、その分離された原稿シートＭを、搬送経路２６に沿って搬送し、排出トレイ２５上に排出する。各従動ローラ４Ｄは、それぞれに対向する各搬送ローラ４Ｃに圧接して従動する。
【００３４】
ＡＤＦ用押さえ部材３０は、図３に示すように、カバー部１Ａが閉姿勢のときに、ＡＤＦ用ガラス２１に対向する位置に配置されている。ＡＤＦ用ガラス２１の上面のうち、ＡＤＦ用押さえ部材３０の直下から外れた位置には、シェーディング補正に利用するための白基準板（白シール）２１Ａが設けられている。リアセンサ９は、搬送経路２６においてＡＤＦ用押さえ部材３０よりも上流側の検知位置Ｘ１で、原稿シートＭの有無を検知する原稿有無センサであり、その検知結果を上記制御部２に送信する。
【００３５】
画像読取部３は、ＣＩＳ（Ｃｏｎｔａｃｔ  Ｉｍａｇｅ  Ｓｅｎｓｏｒ）を有する読取デバイスである。なお、画像読取部３は、ＣＩＳに限らず、例えばＣＣＤ（Ｃｈａｒｇｅ  Ｃｏｕｐｌｅｄ  Ｄｒｉｖｅ  Ｉｍａｇｅ  Ｓｅｎｓｏｒ）を有する構成でもよい。また、画像読取部３は、図示しない移動機構によって、ＡＤＦ用ガラス２１およびＦＢ用ガラス２２の下側を、図３の左右方向に移動可能に設けられている。
【００３６】
画像読取部３は、ＡＤＦ４により搬送される原稿シートＭを読み取る際、ＡＤＦ用押さえ部材３０の直下に移動して、原稿シートＭ上の原稿画像を読み取る原稿読取動作を実行し、その読取画像に応じた読取データを上記制御部２に送信する。搬送経路２６において、原稿押さえ部材３０と画像読取部３との間であって、且つ、ＡＤＦ用ガラス２１上の位置が読取位置Ｘ２であり、次述する読取制御処理の実行時には、当該読取位置Ｘ２に画像読取部３の読取領域Ｅが設定される。
【００３７】
（読取制御処理）
ユーザは、操作部５にて、上記複数の機能のいずれかの指定の入力操作、および、その指定した機能（以下、単に指定機能という）の実行条件の入力操作を行う。実行条件には、解像度や読取色数（カラー、モノクロ）等の読取条件のほか、読取画像のレイアウトや印刷方式等も含まれる。後述するように、制御部２は、このレイアウトに応じて設定頁数を決定する（図５，６参照）。設定頁数は、１枚の原稿シートの片面を１頁としてカウントされる頁数であって、指定機能を、何頁数分の読取画像単位で実行するかを設定するための頁数である。
【００３８】
例えば、コピー機能が指定された場合、印刷部７により、設定頁数分の読取画像が１枚の印刷用シートに印刷される。ファックスリアルタイム送信機能やファックスメモリ送信機能が指定された場合、ファクシミリ通信部１５により、設定頁数分の読取画像の読取データが１頁分のデータとして送信され、ファクシミリ装置にて設定頁数の読取画像が１頁分の画像として印刷用シートに印刷されたり画像表示されたりする。ＰＣスキャン機能が指定された場合、ネットワーク通信部１６により、設定頁数分の読取データが１頁分のデータとして送信され、通信装置にて設定頁数の読取画像が１頁分の画像として印刷用シートに印刷されたり画像表示されたりする。
【００３９】
制御部２は、操作部５により機能の指定等を受け付けると、フロントセンサ８の検知結果に基づき、供給トレイ２４上に原稿シートＭが有ると判断したことを条件に、図４に示す読取制御処理を実行する。この読取制御処理では、原稿読取動作の実行途中で、供給トレイ２４に原稿シートＭが継ぎ足されても、換言すれば、追加されても、読取画像の画像品質が低下することを抑制することができる。なお、本明細書において、原稿シートを継ぎ足すことには、供給トレイ２４上の原稿シートＭの一部または全部を別の原稿シートＭに差し替えることを含まれるものとする。
【００４０】
制御部２は、まず、読取頁数Ｋをゼロに初期化する（Ｓ０）。読取頁数は、１枚の原稿シートの片面を１頁としてカウントされる頁数である。次に、制御部２は、搬送開始命令をＡＤＦ４に与えて、上記搬送動作を開始させる搬送処理を実行する（Ｓ１）。これにより、原稿シートＭが１枚ずつ供給トレイ２４から搬送経路２６に沿って搬送される。
【００４１】
次に、制御部２は、リアセンサ９の検知結果に基づき、原稿シートＭの先端を検知位置Ｘ１で検知したかどうかを判断し（Ｓ２）、原稿シートＭを検知していないと判断している間は待機する（Ｓ２：ＮＯ）。一方、制御部２は、原稿シートＭを検知したと判断した場合（Ｓ２：ＹＥＳ）、原稿シートＭの先端が検知位置Ｘ１に到達したとして、画像読取部３に上記原稿読取動作を実行させる画像読取処理を開始する（Ｓ３）。
【００４２】
なお、制御部２は、原稿シートＭを検知したと判断した時点から、原稿シートＭを第１距離だけ搬送したときに原稿読取動作を開始させてもよい。第１距離は、検知位置Ｘ１から読取位置Ｘ２までの搬送距離である。制御部２は、ＡＤＦ４を回転駆動させる駆動モータ（例えばステッピングモータ）のステップ数をカウントすることで搬送距離を測定してもよいし、内蔵タイマにより、原稿シートＭを検知したと判断した時点からカウントした時間、および、ＡＤＦ４の搬送速度から搬送距離を測定してもよい。
【００４３】
次に、制御部２は、供給トレイ２４に原稿シートＭを継ぎ足す継ぎ足し条件を満たすかどうかを判断する条件判断処理を実行する（Ｓ４）。具体的には、ユーザは、原稿読取動作の開始後に、供給トレイ２４上に更に原稿シートＭを継ぎ足したい場合に、継ぎ足し指示の入力操作を操作部５にて行うことができる。制御部２は、継ぎ足し指示を操作部５から受けた場合に継ぎ足し条件を満たすと判断する（Ｓ４：ＹＥＳ）。制御部２は、継ぎ足し指示を受けた場合、例えばＲＡＭ１３において継ぎ足しフラグを上げる、換言すれば、継ぎ足しフラグを立てる、或いは継ぎ足しフラグを「１」にセットして（Ｓ５）、Ｓ８に進む。
【００４４】
一方、ユーザは、例えば継ぎ足し指示の入力操作をした後に、その継ぎ足し指示を取り消したい場合には、継ぎ足しキャンセル指示の入力操作を操作部５にて行うことができる。制御部２は、継ぎ足しキャンセル指示を操作部５から受けた場合に継ぎ足し条件を満たさないと判断する（Ｓ４：ＮＯ、且つ、Ｓ６：ＹＥＳ）。制御部２は、継ぎ足しキャンセル指示を受けた場合、上記継ぎ足しフラグを下げる、換言すれば、継ぎ足しフラグをクリアする、或いは継ぎ足しフラグを「０」にセットして（Ｓ７）、Ｓ８に進む。なお、制御部２は、継ぎ足し指示および継ぎ足しキャンセル指示のいずれも受けない場合には（Ｓ４：ＮＯ、且つ、Ｓ６：ＮＯ）、継ぎ足しフラグを現状のまま変えずにＳ８に進む。
【００４５】
Ｓ８では、制御部２は、リアセンサ９の検知結果に基づき、原稿シートＭを検知位置Ｘ１で検知しなくなったかどうかを判断し（Ｓ８）、原稿シートＭを検知していると判断した場合（Ｓ８：ＮＯ）、Ｓ４に戻る。一方、制御部２は、原稿シートＭを検知しなくなったと判断した場合（Ｓ８：ＹＥＳ）、原稿シートＭの後端が検知位置Ｘ１に到達したとして、原稿シートＭを上記第１距離だけ搬送した後に、画像読取部３に原稿シートＭの１頁分の原稿読取動作を終了させる（Ｓ９）。また、制御部２は、読取頁数Ｋに１だけ加える（Ｓ９）。
【００４６】
次に、制御部２は、フロントセンサ８の検知結果に基づき、供給トレイ２４上に原稿シートＭが無いと判断した場合（Ｓ１０：ＮＯ）、原稿シートＭを排出トレイ２５に排出したかどうかを判断する（Ｓ１１）。具体的には、制御部２は、原稿シートＭの後端を検知したと判断した時点から、原稿シートＭを第２距離だけ搬送したときに、原稿シートＭを排出トレイ２５に排出したと判断する。第２距離は、検知位置Ｘ１から排出位置Ｘ３までの搬送距離であり、上記第１距離と同様の方法により測定することが可能である。制御部２は、原稿シートＭを排出トレイ２５に排出していないと判断している場合（Ｓ１１：ＮＯ）、ＡＤＦ４に搬送動作を継続させ（Ｓ１１：ＮＯ）、原稿シートＭを排出トレイ２５に排出したと判断した場合（Ｓ１１：ＹＥＳ）、ＡＤＦ４に搬送動作を停止させて（Ｓ１２）、本読取制御処理を終了する。
【００４７】
Ｓ１０で、制御部２は、供給トレイ２４上に原稿シートＭが有ると判断した場合（Ｓ１０：ＹＥＳ）、図５に示す停止判定処理を実行する（Ｓ１３）。停止判定処理では、制御部２は、指定機能、継ぎ足し指示の有無、および、上記レイアウトに基づき、ＡＤＦ４の搬送動作の停止の要否を判定する。具体的には、制御部２は、上記ＲＡＭ１３を参照して、継ぎ足しフラグが上がっていないと判断した場合（Ｓ２１：ＮＯ）、搬送動作の停止は不要として、ＲＡＭ１３において搬送停止フラグを下げて（Ｓ２２）、本停止判定処理を終了し、図４のＳ１４に進む。
【００４８】
一方、制御部２は、上記継ぎ足しフラグが上がっていると判断した場合（Ｓ２１：ＹＥＳ）、図６に示す機能、レイアウトおよび設定頁数の対応テーブルを参照して、設定頁数を決定する頁数決定処理等を実行する（Ｓ２３）。対応テーブルは、例えばＲＡＭ１３に予め記憶されており、この対応テーブルには、同図に示すように、指定機能およびレイアウトの組み合わせごとに、設定頁数がそれぞれ定められている。
【００４９】
例えば、指定機能がコピー機能である場合、印刷方式が片面印刷でレイアウトがオフであれば、設定頁数は１頁であり、印刷方式が両面印刷でレイアウトがＮ（＝４）ｉｎ１であれば、設定頁数は８頁である。なお、Ｎｉｎ１は、Ｎ頁分の読取画像を印刷用シートの片面に印刷するレイアウトである。このように、指定機能がコピー機能である場合、１枚の印刷用シートに印刷する読取画像の頁数が、設定頁数として決定される。また、指定機能がＰＣスキャン機能やファックスメモリ送信機である場合、設定頁数は１頁に決定され、指定機能がファックスリアルタイム送信機能である場合、搬送動作を停止しない。
【００５０】
制御部２は、設定頁数等を決定した後、指定機能がファックスリアルタイム送信機能である場合（Ｓ２４：ＹＥＳ）、搬送停止フラグを下げて（Ｓ２２）、本停止判定処理を終了し、図４のＳ１４に進む。ここで、仮に指定機能がリアルタイムファクシミリ機能でも、搬送停止フラグを上げて搬送動作を停止させる構成とすると、搬送動作が再開されるまで、次の原稿シートＭに対する原稿読取動作が実行されず読取データを送信しないにもかかわらずファクシミリ通信回線が接続された状態が継続することとなり無駄な通信費が増大するおそれがある。これに対して、本実施形態では、制御部２は、継ぎ足し条件を満たす場合でも、指定機能がリアルタイムファクシミリ機能であれば、ＡＤＦ４の搬送動作を停止しない。これにより、次の原稿シートＭに対する原稿読取動作が開始され、その原稿読取動作による読取データが送信されるため、無駄な通信費が増大することを抑制することができる。
【００５１】
制御部２は、指定機能がリアルタイムファクシミリ機能でないと判断した場合（Ｓ２４：ＮＯ）、読取頁数Ｋが設定頁数の倍数（設定頁数×Ｍ（Ｍは自然数））に達したかどうかを判断する（Ｓ２５）。制御部２は、読取頁数Ｋが設定頁数の倍数に達していないと判断した場合（Ｓ２５：ＮＯ）、搬送停止フラグを下げて（Ｓ２２）、本停止判定処理を終了し、図４のＳ１４に進む。この場合、制御部２は、搬送停止フラグが上がっていないと判断して（Ｓ１４：ＮＯ）、Ｓ１に戻る。即ち、制御部２は、継ぎ足し条件を満たすが（Ｓ２１：ＹＥＳ）、設定頁数単位の原稿読取動作が完了していない場合（Ｓ２５：ＮＯ）、ＡＤＦ４の搬送動作を停止させずに、次の原稿シートＭに対する原稿読取動作を続行する。
【００５２】
一方、制御部２は、読取頁数Ｋが設定頁数の倍数に達したと判断した場合（Ｓ２５：ＹＥＳ）、搬送停止フラグを上げて（Ｓ２６）、本停止判定処理を終了し、図４のＳ１４に進む。この場合、制御部２は、搬送停止フラグが上がっていると判断して（Ｓ１４：ＹＥＳ）、ＡＤＦ４に搬送停止指令を与えて搬送動作を停止させ、また、継ぎ足しフラグを下げる（Ｓ１５）。即ち、制御部２は、継ぎ足し条件を満たし（Ｓ２１：ＹＥＳ）、且つ、設定頁数単位の原稿読取動作が完了した場合（Ｓ２５：ＹＥＳ）、ＡＤＦ４の搬送動作を停止させる。このため、次の原稿シートＭに対する原稿読取動作も実行されない。なお、Ｓ１３〜Ｓ１５の処理が搬送停止処理の一例である。
【００５３】
搬送動作が停止したとき、ユーザは、供給トレイ２４に原稿シートＭを継ぎ足すことができる。なお、制御部２は、搬送動作の停止後に、継ぎ足し可能であることを、表示部６等を介してユーザに報知する構成を有することが好ましい。制御部２は、搬送動作を停止させた後、再開条件を満たすかどうかを判断する（Ｓ１６）。具体的には、ユーザは、継ぎ足し作業を行った後に、継ぎ足し完了指示の入力操作を操作部５にて行うことができる。
【００５４】
制御部２は、操作部５から継ぎ足し完了指示を受けない場合、再開条件を満たしていないと判断して待機する（Ｓ１６：ＮＯ）。一方、制御部２は、継ぎ足し完了指示を受けた場合、再開条件を満たすと判断し（Ｓ１６：ＹＥＳ）、Ｓ１に戻り、ＡＤＦ４に搬送動作を再開させる（Ｓ１）。これにより、次の原稿シートＭに対する原稿読取動作が開始される（Ｓ３）。なお、Ｓ１６〜Ｓ１の処理が搬送再開処理の一例である。
【００５５】
（本実施形態の効果）
指定機能がコピー機能であり、印刷方式が片面印刷でレイアウトが２ｉｎ１である場合を例に挙げて、本実施形態の効果を説明する。この場合、設定頁数は２頁である（図６参照）。図７の上段に示すように、原稿シートＭ１に対する原稿読取動作中に、継ぎ足し指示を満たした場合（Ｓ４：ＹＥＳ）、この時点ではＡＤＦ４の搬送動作は停止されずそのままの速度で継続され（同図の搬送ローラ４Ｃに付した矢印参照）、原稿シートＭ１に対する原稿読取動作が続行される（Ｓ８：ＮＯ）。
【００５６】
その原稿シートＭ１に対する原稿読取動作が終了した後（Ｓ９）、供給トレイ２４には、まだ原稿シートＭ２等が有る（Ｓ１０：ＹＥＳ）。このとき、読取頁数Ｋが奇数頁である場合、読取頁数Ｋは設定頁数の倍数、即ち偶数に達していない（Ｓ２５：ＮＯ）。このため、図７の中段に示すように、ＡＤＦ４の搬送動作は停止されずそのままの速度で継続され（Ｓ２２，Ｓ１４：ＮＯ  同図の搬送ローラ４Ｃに付した矢印参照）、原稿シートＭ２に対する原稿読取動作が実行される（Ｓ２〜Ｓ８）。これにより、印刷部７は、原稿シートＭの継ぎ足し指示により中断されることなく、原稿シートＭ１，Ｍ２から読み取った読取画像を、１枚の印刷用シートに印刷することができる。
【００５７】
そして、原稿シートＭ２に対する原稿読取動作が終了すると（Ｓ９）、読取頁数Ｋが設定頁数の倍数に達するため（Ｓ２５：ＹＥＳ）、図７の下段に示すように、ＡＤＦ４の搬送動作は停止され（Ｓ１５）、原稿シートＭ３に対する原稿読取動作も実行されない。そこで、ユーザは、原稿シートＭ４〜Ｍ６を供給トレイ２４に継ぎ足して、継ぎ足し指示を行う（Ｓ１６：ＹＥＳ）。これにより、ＡＤＦ４の搬送動作が再開され（Ｓ１）、原稿シートＭ３に対する原稿読取動作が開始される（Ｓ３）。
【００５８】
以上のように、本実施形態によれば、複合機１は、原稿読取動作の実行中に継ぎ足し条件を満たすと判断した場合でも、ＡＤＦ４の搬送動作を、即時に停止させずに、当該原稿読取動作の完了後に停止させる。その後、複合機１は、再開条件を満たすと判断した場合、ＡＤＦ４に搬送動作を再開させる。これにより、供給トレイ２４に原稿シートＭを継ぎ足す場合に、原稿シートＭの原稿読取動作途中で搬送動作が停止されることにより、読取画像の画像品質が低下することを抑制することができる。
【００５９】
更に、複合機１は、原稿読取動作の実行中に継ぎ足し条件を満たすと判断した場合、設定頁単位の原稿読取動作の完了後、ＡＤＦ４に搬送動作を停止させる。これにより、設定頁数単位の原稿読取動作の途中で搬送動作が停止される構成に比べて、設定頁数分の読取画像が揃わないために印刷部７等が機能を実行できない事態が発生することを抑制することができる。
【００６０】
＜実施形態２＞
図８は実施形態２を示す。上記実施形態１との相違は、読取制御処理にあり、その他の点は上記実施形態１と同様である。従って、上記実施形態１と同一符号を付して重複する説明を省略し、異なるところのみを次に説明する。
【００６１】
（読取制御処理）
制御部２は、操作部５により機能の指定等を受け付けると、図８に示す読取制御処理を実行する。制御部２は、まず、読取枚数Ｈをゼロに初期化する（Ｓ３０）。ここで、ユーザは、これから読み取りたい原稿シートＭの総枚数である読取予定枚数を指定する入力操作を操作部５にて行うことができる。制御部２は、読取予定枚数が指定されていないと判断している間は待機し（Ｓ３１：ＮＯ）、読取予定枚数が指定されたと判断した場合には（Ｓ３１：ＹＥＳ）、ユーザに、規定枚数以下の原稿シートＭを供給トレイ２４に配置するよう指示する内容を表示部６に表示させる（Ｓ３２）。規定枚数は、例えば、供給トレイ２４に配置可能な原稿シートＭの最大枚数（スペック枚数）であり、これは、例えば複合機１の仕様により定められている。なお、規定枚数は、当該最大枚数に限らず、例えばユーザが予め定めた枚数等でもよい。
【００６２】
次に、制御部２は、原稿シートＭが供給トレイ２４に配置されたかどうかを判断する（Ｓ３３）。具体的には、制御部２は、上記フロントセンサ８の検知結果に基づき、供給トレイ２４上に原稿シートＭが配置されたかどうかを判断する。なお、制御部２は、ユーザが操作部５にて配置完了指示の入力操作を行ったことに基づき、供給トレイ２４上に原稿シートＭが配置されたかどうかを判断してもよい。制御部２は、原稿シートＭが供給トレイ２４に配置されていないと判断している間は待機し（Ｓ３３：ＮＯ）、原稿シートＭが供給トレイ２４に配置されたと判断した場合には（Ｓ３３：ＹＥＳ）、搬送開始命令をＡＤＦ４に与えて、上記搬送動作を開始させる搬送処理を実行する（Ｓ３４）。
【００６３】
次に、制御部２は、リアセンサ９の検知結果に基づき、原稿シートＭを検知していないと判断している間は待機する（Ｓ３５：ＮＯ）。一方、制御部２は、原稿シートＭを検知したと判断した場合（Ｓ３５：ＹＥＳ）、原稿シートＭの先端が検知位置Ｘ１に到達したとして、画像読取部３に上記原稿読取動作を実行させる画像読取処理を開始する（Ｓ３６  上記Ｓ３と同様の処理）。
【００６４】
その後、制御部２は、リアセンサ９の検知結果に基づき、原稿シートＭを検知していると判断した場合（Ｓ３７：ＮＯ）、原稿読取動作を継続する。一方、制御部２は、原稿シートＭを検知しなくなったと判断した場合（Ｓ３７：ＹＥＳ）、原稿シートＭの後端が検知位置Ｘ１に到達したとして、原稿シートＭを上記第１距離だけ搬送した後に、画像読取部３に原稿シートＭの１頁分の原稿読取動作を終了させる（Ｓ３８）。また、制御部２は、読取枚数Ｈに１だけ加える（Ｓ３８）。このＳ３８の処理はカウント処理の一例である。
【００６５】
制御部２は、原稿読取動作を終了すると、基準枚数分だけ原稿読取動作を終了したかどうかを判断する（Ｓ３９）。具体的には、制御部２は、読取枚数Ｈが基準枚数に達したかどうかを判断する。基準枚数は、上記読取予定枚数から規定枚数を差し引いた枚数である。この処理は、基準枚数決定処理の一例である。これにより、原稿シートＭの継ぎ足し後、読取予定枚数に達する前に、供給トレイ２４上の原稿シートＭが無くなって搬送動作が停止されることを抑制することができる。Ｓ３９は、条件判断処理の一例である。
【００６６】
制御部２は、基準枚数分だけ原稿読取動作を終了したと判断した場合には（Ｓ３９：ＹＥＳ）、継ぎ足しフラグを上げて（Ｓ４０  上記Ｓ５と同様の処理）、Ｓ４１に進む。一方、制御部２は、基準枚数分だけ原稿読取動作を終了していないと判断した場合には（Ｓ３９：ＮＯ）、継ぎ足しフラグを上げずにＳ４１に進む。
【００６７】
次に、制御部２は、フロントセンサ８の検知結果に基づき、供給トレイ２４上に原稿シートＭが無いと判断した場合（Ｓ４１：ＮＯ  Ｓ１０と同様の処理）、原稿シートＭを排出トレイ２５に排出していないと判断している間（Ｓ４２：ＮＯ  Ｓ１１と同様の処理）、ＡＤＦ４に搬送動作を継続させる。制御部２は、原稿シートＭを排出トレイ２５に排出したと判断した場合（Ｓ４２：ＹＥＳ）、ＡＤＦ４に搬送動作を停止させて（Ｓ４３）、本読取制御処理を終了する。
【００６８】
一方、制御部２は、供給トレイ２４上に原稿シートＭが有ると判断した場合（Ｓ４１：ＹＥＳ）、上記ＲＡＭ１３を参照して、継ぎ足しフラグが上がっているかどうかを判断する（Ｓ４４）。制御部２は、継ぎ足しフラグが上がっていないと判断した場合（Ｓ４４：ＮＯ）、搬送動作の停止は不要として、Ｓ３５に戻る。これにより、制御部２は、ＡＤＦ４の搬送動作を停止させずに、次の原稿シートＭに対する原稿読取動作を続行する。
【００６９】
制御部２は、継ぎ足しフラグが上がっていると判断した場合（Ｓ４４：ＹＥＳ）、ＡＤＦ４に搬送停止指令を与えて搬送動作を停止させ、また、継ぎ足しフラグを下げる（Ｓ４５）。即ち、制御部２は、基準枚数分だけ原稿読取動作を完了した場合（Ｓ３９：ＹＥＳ）、ＡＤＦ４の搬送動作を停止させる。このため、次の原稿シートＭに対する原稿読取動作も実行されない。なお、Ｓ４４、Ｓ４５の処理が搬送停止処理の一例である。
【００７０】
制御部２は、搬送動作の停止後、継ぎ足し指示を表示部６に表示させる（Ｓ４６）。継ぎ足し指示は、上限枚数を超えない範囲で、まだ供給トレイ２４に配置されていない未配置の原稿シートＭを供給トレイ２４に配置するようユーザに指示する内容が好ましい。上限枚数は、継ぎ足し後の供給トレイ２４上の原稿シートＭの総枚数が規定枚数を超えない範囲である。
【００７１】
制御部２は、搬送動作を停止させた後、再開条件を満たすかどうかを判断する（Ｓ４７  Ｓ１６の処理と同様）。具体的には、ユーザは、継ぎ足し作業を行った後に、継ぎ足し完了指示の入力操作を操作部５にて行うことができる。制御部２は、操作部５から継ぎ足し完了指示を受けない場合、再開条件を満たしていないと判断して待機する（Ｓ４７：ＮＯ）。一方、制御部２は、継ぎ足し完了指示を受けた場合、再開条件を満たすと判断し（Ｓ４７：ＹＥＳ）、Ｓ３４に戻り、ＡＤＦ４に搬送動作を再開させる（Ｓ３４）。これにより、次の原稿シートＭに対する原稿読取動作が開始される（Ｓ３６）。なお、Ｓ４７〜Ｓ３４の処理が搬送再開処理の一例である。
【００７２】
例えば、読取予定枚数が５０枚、規定枚数が３５枚である場合、基準枚数は１５枚（＝５０枚―３５枚）であり、上限枚数は１５枚であり、上記未配置の原稿シートＭの枚数は１５枚（＝５０枚−３５枚）である。また、供給トレイ２２に残存している原稿シートＭの枚数は２０枚（＝３５枚−１５枚）である。従って、未配置の原稿シートＭ全てを供給トレイ２４に配置しても上限枚数を超えない。このため、ユーザは、搬送動作の停止後に、未配置の原稿シートＭ全てを供給トレイ２４に配置することができる。その後、搬送動作が再開されると、規定枚数分（３５枚）の原稿シートＭ分だけ原稿読取動作を続けて行うことにより、読取予定枚数全ての原稿読取動作を完了することができる。即ち、読取予定枚数が規定枚数を超える場合でも、搬送動作の停止回数を最小限に抑えつつ、原稿シートＭの継ぎ足し後、読取予定枚数に達する前に、供給トレイ２４上の原稿シートＭが無くなって搬送動作が停止されることを抑制することができる。
【００７３】
＜他の実施形態＞
本明細書で開示される技術は上記記述及び図面によって説明した実施形態に限定されるものではなく、例えば次のような種々の態様も含まれる。
【００７４】
「画像読取装置」は、上記複合機１に限らず、コピー機能、ＰＣスキャン機能、ファックスリアルタイム送信機能、ファックスメモリ送信機能の少なくとも１つを実行可能な装置でもよい。例えば、コピー機能の実行可能なコピー機単体、スキャナ機能のみ実行可能なスキャナ装置単体、ファクシミリ機能のみ実行可能なファクシミリ装置単体などでもよい。要するに、「画像読取装置」は、原稿シートを搬送しつつ、その原稿シートの画像を読み取る画像読取動作を実行可能な装置であればよい。
【００７５】
更に、「画像読取装置」は、原稿シートＭの片面読取だけでなく、両面読取が可能な構成でもよい。また、「画像読取装置」は、供給トレイが、排出トレイの下方に設けられ、原稿シートを、供給トレイからＵ字状に折り返して排出トレイに搬送する構成や、供給トレイから直線状に搬送して排出トレイに排出する構成でもよい。
【００７６】
「機能実行部」は、上記印刷部７等に限らず、例えば、１または複数頁分の読取画像を画面表示する表示部６や、１または複数頁分の読取画像の読取データを１ファイルとして記憶するＲＡＭ１３等、複合機１の内蔵メモリでもよい。要するに、「機能実行部」は、原稿読取動作で読み取られた読取画像に対する機能を、設定頁単位で実行するものであればよい。
【００７７】
上記実施形態では、制御部２は、ＣＰＵ１１および画像処理部１４により読取制御処理を実行する構成であった。しかし、これに限らず、制御部２は、複数のＣＰＵにより読取制御処理を実行する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより読取制御処理を実行する構成でもよい。例えば上記シェーディング補正処理やガンマ補正処理を、ＣＰＵ１１が実行する構成でもよい。
【００７８】
「原稿配置部」は、供給トレイ２４のようなトレイに限らず、例えば装置本体１Ｂから引き出し可能なカセットでもよい。
【００７９】
制御部２は、例えば、読取制御処理の開始時に、指定機能やレイアウト等に基づき設定頁数を決定してもよい。この構成であれば、制御部２は、停止判定処理において設定頁数決定処理を実行しなくても済む。
【００８０】
制御部２は、読取制御処理において、原稿読取動作を実行していないときにも、継ぎ足し条件を満たすかどうかを判断してもよい。そして、制御部２は、原稿読取動作の非実行時に継ぎ足し条件を満たすと判断した場合、搬送動作を停止させることが好ましい。また、この場合、読取頁数Ｋが設定頁数×Ｍ（Ｍは自然数）に達していない場合には、搬送動作を継続する構成がより好ましい。
【００８１】
制御部２は、読取制御処理において、供給トレイ２４上に原稿シートＭが有ると判断した場合（Ｓ１０：ＹＥＳ）、現在の指定機能が、リアルタイムファクシミリ機能であるかどうかを判断する構成でもよい。制御部２は、指定機能がリアルタイムファクシミリ機能でないと判断した場合にＳ１３に進み、指定機能がリアルタイムファクシミリ機能であると判断した場合にＳ１に戻る。
【００８２】
制御部２は、読取制御処理において、供給トレイ２４上に原稿シートＭが有ると判断した場合（Ｓ１０：ＹＥＳ）、Ｓ１３の処理を実行せずに、Ｓ１４の処理に進む構成でもよい。
【００８３】
制御部２は、停止判定処理において、継ぎ足し指示の有無だけに基づき、ＡＤＦ４の搬送動作の停止の要否を判定してもよい。また、制御部２は、継ぎ足し指示の有無に加えて、継ぎ足し指示の有無、および、上記レイアウトのいずれか一方に基づき、ＡＤＦ４の搬送動作の停止の要否を判定してもよい。
【００８４】
「頁数決定処理」は、制御部２が、各機能の実行条件等に基づき決定する処理に限らず、制御部２が、例えば操作部５でのユーザによる設定頁数の入力操作に基づき決定する処理でもよい。
【００８５】
制御部２は、指定機能がリアルタイムファクシミリ機能でも、他の機能と同様に、設定頁数に応じて搬送動作を停止させる構成としてもよい。また、制御部２は、指定機能がリアルタイムファクシミリ機能である場合に搬送動作を停止させるか停止させないかを、ユーザによる操作部５での入力操作により決定する構成としてもよい。
【００８６】
「再開条件」は、ユーザによる継ぎ足し完了指示の有無に限られない。再開条件は、例えば、制御部２が、フロントセンサ８や、供給トレイ２４に別途設けたセンサの検知結果に基づき、供給トレイ２４に原稿シートＭが追加されたと判断したことでもよい。
【００８７】
制御部２は、読取制御処理において、原稿読取動作中に継ぎ足し条件を満たすと判断した場合、当該原稿読取動作の終了時に常に、ＡＤＦ４に搬送動作を停止させる構成でもよい。この場合、図４中、Ｓ１３、Ｓ１４の処理は不要である。
【００８８】
制御部２は、図８のＳ３１の後、読取予定枚数が規定枚数よりも多いかどうかを判断し、多いと判断した場合に限り、Ｓ３２にて、規定枚数に関する情報を、表示部６に表示させてもよい。これにより、ユーザは、表示部の内容により、原稿シートＭを適切な枚数だけ供給トレイ２４に配置することができる。
【００８９】
「基準枚数」は、読取予定枚数から規定枚数を差し引いた枚数に限らず、例えば、操作部５にてユーザが予め指定した枚数でもよい。
【００９０】
制御部２は、図４および図８の両方の読取制御処理を実行可能とし、例えばユーザによる操作部５での選択指示により、いずれの読取制御処理を実行するかを選択して実行する構成でもよい。
【符号の説明】
【００９１】
１：複合機  ２：制御部  ３：画像読取部  ４：ＡＤＦ  ５：操作部  ６：表示部  ７：印刷部  １５：ファクシミリ通信部  １６：ネットワーク通信部  Ｍ：原稿シート  Ｅ：読取領域
【図１】
2014093556.tif 000003
【図２】
2014093556.tif 000004
【図３】
2014093556.tif 000005
【図４】
2014093556.tif 000006
【図５】
2014093556.tif 000007
【図６】
2014093556.tif 000008
【図７】
2014093556.tif 000009
【図８】
2014093556.tif 000010